(57)【要約】【課題】さまざまな状況に応じてエレクトロクロミズム特性を制御する。【解決手段】調光装置１は、調光部材２と、制御部３とを備える。調光部材２は、エレクトロクロミズムによって光の波長帯での透過率が可逆的に変化する部材である。制御部３は、予め決められた条件に応じて調光部材２の透過率を変化させる。【選択図】図１
2014202858.tif 000002
【特許請求の範囲】
【請求項１】
エレクトロクロミズムによって光の波長帯での透過率が可逆的に変化する調光部材と、
予め決められた条件に基づいて前記調光部材の前記透過率を変化させる制御部と
を備えることを特徴とする調光装置。
【請求項２】
前記調光部材は、エレクトロクロミズムによって光の波長帯での反射率が可逆的に変化し、
前記制御部は、前記条件に基づいて前記調光部材の前記反射率を前記透過率とともに変化させる
ことを特徴とする請求項１記載の調光装置。
【請求項３】
前記調光部材は、日射光に対する透過率が可逆的に変化することを特徴とする請求項１または２記載の調光装置。
【請求項４】
前記調光部材は、可視光を透過させる第１の状態と可視光を遮断する第２の状態とを有し、
前記制御部は、前記条件に基づいて前記調光部材の前記第１の状態と前記第２の状態とを切り替える
ことを特徴とする請求項１または２記載の調光装置。
【請求項５】
前記調光部材は、浴室の内面に沿って設けられる調光パネルであることを特徴とする請求項２記載の調光装置。
【請求項６】
前記調光部材は、浴室の出入口に設けられた浴室ドアであることを特徴とする請求項２または４記載の調光装置。
【請求項７】
前記調光部材は、窓ガラスに設けられることを特徴とする請求項３記載の調光装置。
【請求項８】
前記調光部材は、建物の屋根材であることを特徴とする請求項３または４記載の調光装置。
【請求項９】
前記調光部材は、天窓ガラスであることを特徴とする請求項３または４記載の調光装置。
【請求項１０】
前記制御部は、時間が経過するにつれて透過率が高くなるように前記天窓ガラスを制御することを特徴とする請求項９記載の調光装置。
【請求項１１】
前記調光部材は、車に設けられることを特徴とする請求項３または４記載の調光装置。
【請求項１２】
前記調光部材は、表示パネルに用いられることを特徴とする請求項４記載の調光装置。
【請求項１３】
前記調光部材は、冷蔵庫の扉であることを特徴とする請求項４記載の調光装置。
【請求項１４】
前記調光部材は、建物内の壁に設けられる調光パネル壁であることを特徴とする請求項４記載の調光装置。
【請求項１５】
前記調光部材は、クローゼットの扉であることを特徴とする請求項４記載の調光装置。
【請求項１６】
前記調光部材は、１つの空間を複数の空間に分割するための間仕切り部材であることを特徴とする請求項４記載の調光装置。
【請求項１７】
前記調光部材は、農業用ハウスに用いられることを特徴とする請求項３記載の調光装置。
【請求項１８】
前記調光部材は、建物の庇に用いられる複数の調光パネルであり、
前記複数の調光パネルは、前記建物の壁側から前記庇の先端側の方向に並んで設けられ、
前記制御部は、前記建物の壁側から前記庇の先端側に向けて前記透過率が徐々に高くなるように前記複数の調光パネルを制御する
ことを特徴とする請求項３または４記載の調光装置。
【請求項１９】
前記調光部材は、建物のパイプスペースを覆う部材に用いられることを特徴とする請求項４記載の調光装置。
【請求項２０】
前記調光部材は、ショーケースまたはショールームに用いられる複数の調光パネルであり、
前記複数の調光パネルは、前記ショーケースまたは前記ショールーム内の空間を分割した複数の小空間に一対一に対応し、前記複数の調光パネルの各々は、対応する小空間に設けられ、
前記制御部は、前記複数の調光パネルの各々に対して個別に前記第１の状態と前記第２の状態とを切り替える
ことを特徴とする請求項４記載の調光装置。
【請求項２１】
前記制御部は、端末装置から前記調光部材の制御内容を受け付け、当該制御内容に従って前記調光部材を制御することを特徴とする請求項１〜２０のいずれか１項に記載の調光装置。
【請求項２２】
前記制御部は、前記調光部材の制御内容を音によって受け付けることを特徴とする請求項１〜２０のいずれか１項に記載の調光装置。
【発明の詳細な説明】
【技術分野】
【０００１】
本発明は、調光部材を制御する調光装置に関する。
【背景技術】
【０００２】
従来から、エレクトロクロミック物質を用いた調光体が知られている（例えば特許文献１参照）。
【先行技術文献】
【特許文献】
【０００３】
【特許文献１】特開平１−３４３６６号公報
【発明の概要】
【発明が解決しようとする課題】
【０００４】
しかしながら、特許文献１に記載された従来の調光体は、さまざまな状況に応じてエレクトロクロミズム特性を制御する機能を有していないという問題があった。
【０００５】
本発明は上記の点に鑑みて為された発明であり、本発明の目的は、さまざまな状況に応じてエレクトロクロミズム特性を制御することができる調光装置を提供することにある。
【課題を解決するための手段】
【０００６】
本発明の調光装置は、エレクトロクロミズムによって光の波長帯での透過率が可逆的に変化する調光部材と、予め決められた条件に基づいて前記調光部材の前記透過率を変化させる制御部とを備えることを特徴とする。
【０００７】
この調光装置において、前記調光部材は、エレクトロクロミズムによって光の波長帯での反射率が可逆的に変化し、前記制御部は、前記条件に基づいて前記調光部材の前記反射率を前記透過率とともに変化させることが好ましい。
【０００８】
この調光装置において、前記調光部材は、日射光に対する透過率が可逆的に変化することが好ましい。
【０００９】
この調光装置において、前記調光部材は、可視光を透過させる第１の状態と可視光を遮断する第２の状態とを有し、前記制御部は、前記条件に基づいて前記調光部材の前記第１の状態と前記第２の状態とを切り替えることが好ましい。
【００１０】
この調光装置において、前記調光部材は、浴室の内面に沿って設けられる調光パネルであることが好ましい。
【００１１】
この調光装置において、前記調光部材は、浴室の出入口に設けられた浴室ドアであることが好ましい。
【００１２】
この調光装置において、前記調光部材は、窓ガラスに設けられることが好ましい。
【００１３】
この調光装置において、前記調光部材は、建物の屋根材であることが好ましい。
【００１４】
この調光装置において、前記調光部材は、天窓ガラスであることが好ましい。
【００１５】
この調光装置において、前記制御部は、時間が経過するにつれて透過率が高くなるように前記天窓ガラスを制御することが好ましい。
【００１６】
この調光装置において、前記調光部材は、車に設けられることが好ましい。
【００１７】
この調光装置において、前記調光部材は、表示パネルに用いられることが好ましい。
【００１８】
この調光装置において、前記調光部材は、冷蔵庫の扉であることが好ましい。
【００１９】
この調光装置において、前記調光部材は、建物内の壁に設けられる調光パネル壁であることが好ましい。
【００２０】
この調光装置において、前記調光部材は、クローゼットの扉であることが好ましい。
【００２１】
この調光装置において、前記調光部材は、１つの空間を複数の空間に分割するための間仕切り部材であることが好ましい。
【００２２】
この調光装置において、前記調光部材は、農業用ハウスに用いられることが好ましい。
【００２３】
この調光装置において、前記調光部材は、建物の庇に用いられる複数の調光パネルであり、前記複数の調光パネルは、前記建物の壁側から前記庇の先端側の方向に並んで設けられ、前記制御部は、前記建物の壁側から前記庇の先端側に向けて前記透過率が徐々に高くなるように前記複数の調光パネルを制御することが好ましい。
【００２４】
この調光装置において、前記調光部材は、建物のパイプスペースを覆う部材に用いられることが好ましい。
【００２５】
この調光装置において、前記調光部材は、ショーケースまたはショールームに用いられる複数の調光パネルであり、前記複数の調光パネルは、前記ショーケースまたは前記ショールーム内の空間を分割した複数の小空間に一対一に対応し、前記複数の調光パネルの各々は、対応する小空間に設けられ、前記制御部は、前記複数の調光パネルの各々に対して個別に前記第１の状態と前記第２の状態とを切り替えることが好ましい。
【００２６】
この調光装置において、前記制御部は、端末装置から前記調光部材の制御内容を受け付け、当該制御内容に従って前記調光部材を制御することが好ましい。
【００２７】
この調光装置において、前記制御部は、前記調光部材の前記制御内容を音によって受け付けることが好ましい。
【発明の効果】
【００２８】
本発明によれば、さまざまな状況に応じてエレクトロクロミズム特性を制御することができる。
【図面の簡単な説明】
【００２９】
【図１】基本形態に係る調光装置の構成を示すブロック図である。
【図２】実施形態１に係る調光装置の構成を示すブロック図である。
【図３】実施形態１に係る調光装置が設置された浴室の概略図である。
【図４】実施形態１に係る調光装置の動作を示すフローチャートである。
【図５】実施形態１に係る調光装置の一例についての説明図である。
【図６】実施形態１に係る調光装置の一例についての説明図である。
【図７】実施形態１に係る調光装置の一例についての説明図である。
【図８】実施形態２に係る調光装置の構成を示すブロック図である。
【図９】実施形態２に係る調光部材である浴室ドアであって、調光パネルの透過率が低い場合の外観図である。
【図１０】実施形態２に係る調光部材である浴室ドアであって、調光パネルの透過率が高い場合の外観図である。
【図１１】実施形態２に係る調光装置の動作を示すフローチャートである。
【図１２】実施形態３に係る調光装置の構成を示すブロック図である。
【図１３】実施形態３に係る調光部材が設けられた窓ガラスの外観図である。
【図１４】実施形態３に係る調光部材である屋根材が設けられた住戸の外観図である。
【図１５】実施形態３に係る調光部材である天窓ガラスが設けられた住戸の外観図である。
【図１６】実施形態３に係る調光装置の動作を示すフローチャートである。
【図１７】実施形態３に係る調光装置の他の一例を示す図である。
【図１８】実施形態３に係る調光装置の他の一例を示す図である。
【図１９】実施形態４に係る調光装置の構成を示すブロック図である。
【図２０】実施形態４に係る調光部材である調光パネル壁の透過率が低い場合の正面図である。
【図２１】実施形態４に係る調光部材である調光パネル壁の透過率が高い場合の正面図である。
【図２２】実施形態４に係る調光装置の動作を示すフローチャートである。
【図２３】実施形態４の変形例に係る調光部材が扉として設けられた冷蔵庫であって、調光部材である扉の透過率が低い場合の正面図である。
【図２４】実施形態４の変形例に係る調光部材が扉として設けられた冷蔵庫であって、調光部材である扉の透過率が高い場合の正面図である。
【図２５】実施形態４の他の変形例に係る調光部材が扉として設けられたクローゼットであって、調光部材である扉の透過率が低い場合の正面図である。
【図２６】実施形態４の他の変形例に係る調光部材が扉として設けられたクローゼットであって、調光部材である扉の透過率が高い場合の正面図である。
【図２７】実施形態５に係る調光部材である間仕切り部材が設けられている空間の平面図である。
【図２８】実施形態６に係る調光装置の構成を示すブロック図である。
【図２９】実施形態６に係る調光部材が用いられている農業用ハウスの外観図である。
【図３０】実施形態６に係る調光部材が用いられている農業用ハウスの外観図である。
【図３１】実施形態６に係る調光装置の動作を示すフローチャートである。
【図３２】実施形態７に係る調光装置の概略図である。
【図３３】実施形態７に係る調光装置の動作を説明するための概略図である。
【図３４】実施形態７に係る調光装置の変形例の概略図である。
【図３５】実施形態８に係る調光装置の概略図である。
【発明を実施するための形態】
【００３０】
以下、図面を参照しながら、まず、実施形態１〜８の基本となる基本形態について説明し、続いて、実施形態１〜８について説明する。
【００３１】
（基本形態）
基本形態に係る調光装置１は、図１に示すように、調光部材２と、制御部３と、給電部４とを備えている。
【００３２】
調光部材２は、エレクトロクロミズムによって光の波長帯での反射率および透過率の少なくともいずれかが可逆的に変化する。言い換えると、調光部材２は、エレクトロクロミック材料を用いたエレクトロクロミック素子を有しており、給電部４による電圧印加によって、光の波長帯での反射率および透過率の少なくともいずれかが可逆的に変化する。調光部材２としては、例えば調光ガラスまたは調光フィルムなどである。
【００３３】
調光部材２に用いられるエレクトロクロミック素子は、反射率または透過率を変えるときだけ電力を消費し、それ以外のときは電力を消費しないという利点がある。また、エレクトロクロミック素子としては、透過型と反射型とがある。
【００３４】
本基本形態において、光の波長帯とは、可視光の波長帯と、赤外線の波長帯と、紫外線の波長帯とを含む波長域（周波数帯域）をいう。
【００３５】
光の波長帯での透過率が可逆的に変化する調光部材２の一例としては、日射光に対する透過率が可逆的に変化する部材である。
【００３６】
また、光の波長帯での透過率が可逆的に変化する調光部材２の他の例としては、可視光を透過させる第１の状態（透過状態）と可視光を遮断する第２の状態（遮断状態）とを有する部材である。
【００３７】
制御部３は、予め決められた条件に基づいて調光部材２の反射率および透過率の少なくともいずれかを変化させる。制御部３は、給電部４から調光部材２への電圧印加を制御することによって、調光部材２の反射率および透過率の少なくともいずれかを変化させる。
【００３８】
例えば、調光部材２が透過状態と遮断状態との間で透過率が可逆的に変化する部材である場合、制御部３は、上記条件に基づいて調光部材２の第１の状態と第２の状態とを切り替える。
【００３９】
給電部４は、例えば商用電源などの電源５からの電力供給によって、調光部材２に適した電圧を調光部材２に印加する。給電部４から調光部材２への給電は、有線による給電であってもよいし、非接触給電であってもよい。
【００４０】
以上説明した本基本形態の調光装置１では、制御部３によって、調光部材２の反射率および透過率の少なくともいずれかを変化させることができる。
【００４１】
（実施形態１）
実施形態１では、図２に示すように、調光部材２としての調光パネル２ａが浴室（バスユニット）７１の内面に設けられている場合について説明する。なお、基本形態の調光装置１（図１参照）と同様の構成要素については、同一の符号を付して説明を省略する。
【００４２】
従来から、入浴時において、冬場の浴室でのヒートショックが問題となっている。
【００４３】
そこで、本実施形態では、図３に示すように、調光部材２として浴室７１に調光パネル（調光壁）２ａが敷設されている。すなわち、本実施形態の調光部材２は、浴室７１の内面に沿って設けられる調光パネル２ａである。
【００４４】
本実施形態の調光装置１は、調光部材２としての調光パネル２ａと、外付け操作パネル３ａと、浴室操作パネル３ｂとを備えている。
【００４５】
本実施形態の調光パネル２ａは、図３に示すように、浴室７１の内面に沿って設けられている。調光パネル２ａは、浴室７１の４面の壁７１１、天井７１２（図５参照）および床７１３（図５参照）の全てに設けられていてもよいし、これらのうちの一部に設けられていてもよい。図２に示す給電部４から調光パネル２ａへの給電は、有線による給電であってもよいし、非接触給電であってもよい。
【００４６】
調光パネル２ａは、入浴時において、冬の場合に反射率を１００％とし、夏の場合に反射率を１０％とする。また、入浴以外では、反射率を１０％とする。
【００４７】
外付け操作パネル３ａは、図２に示すように、浴室７１外に設置されており、制御部３と、操作部３１とを備えている。制御部３は、調光パネル２ａの反射率が変化するように、給電部４から調光パネル２ａへの電圧印加を制御する。また、外付け操作パネル３ａは、種々のモードを切り替える機能、カレンダ（夏季、冬季、中間期）を設定する機能、および、反射率を設定する機能を有している。
【００４８】
浴室操作パネル３ｂは、浴室７１内に設置されており、外付け操作パネル３ａと同じ機能を有している。
【００４９】
ところで、調光パネル２ａが浴室７１の内面に設けられていない場合、浴室７１内の熱が壁７１１などによって放熱されるため、冬においては、体感温度が下がることがあった。
【００５０】
これに対して、本実施形態の場合、調光パネル２ａの反射率を高くして透過率を低くすることによって、浴室７１内の熱（赤外熱）が調光パネル２ａで反射するので、浴室７１外へ放熱されることを低減でき、その結果、入浴者の体感温度の低下を抑制することができる。
【００５１】
一方、夏の場合、調光パネル２ａの反射率を低くして透過率を高くすることによって、浴室７１内の熱を浴室７１外へ放熱させることができるので、暑すぎない程度で入浴を行うことができる。
【００５２】
上記より、本実施形態の調光パネル２ａは、赤外線の波長帯の反射率および透過率が可逆的に変化するようなエレクトロクロミック材料が用いられている。
【００５３】
次に、本実施形態に係る調光装置１の動作について図４を用いて説明する。まず、外付け操作パネル３ａまたは浴室操作パネル３ｂのいずれかが風呂の予約の操作を受け付ける（図４のＳ１，Ｓ２）。ステップＳ１，Ｓ２で操作を受け付けると、制御部３の制御によって、調光パネル２ａの反射率が１００％になる（Ｓ３）。その後、ユーザが入浴を行い、浴室７１から退出するときに、浴室操作パネル３ｂの電源がオフになると（Ｓ４）、制御部３の制御によって、調光パネル２ａの反射率が１００％から１０％に変化する（Ｓ５）。
【００５４】
次に、調光パネル２ａの有無による体感温度（作用温度）の違いについて図５〜図７を用いて説明する。ここでは、図５に示すように、浴室７１のサイズを、長さ（奥行き）Ｌ１＝１．６ｍ、幅Ｗ１＝１．６ｍ、高さＨ１＝２．０ｍとし、浴槽７１４のサイズを、長さ（奥行き）Ｌ２＝１．６ｍ、幅Ｗ２＝０．８ｍ、高さＨ２＝０．６ｍとする。なお、浴室７１のサイズおよび浴槽７１４のサイズは一例である。
【００５５】
図６に示すように、壁７１１、天井７１２および床７１３ならびに浴槽７１４の温度を、冬で１０℃、夏で３０℃とする。調光パネル２ａが設けられた壁７１１、天井７１２および床７１３の温度も、冬で１０℃、夏で３０℃とする。湯面の温度を、冬で４２℃、夏で３８℃とし、人の表面の温度を３３℃とする。壁７１１、天井７１２および床７１３ならびに浴槽７１４の反射率を１０％とし、湯面の反射率を２％とし、入浴者の表面の反射率を１０％とする。調光パネル２ａが設けられた壁７１１、天井７１２および床７１３の反射率を、冬で１００％、夏で１０％とする。
【００５６】
調光パネル２ａの有無による体感温度の違いは、図７に示されるとおりである。冬の場合、調光パネル２ａがない場合よりも、調光パネル２ａが設けられた場合のほうが、体感温度が、浴槽７１４の蓋が閉まっているときで約４℃、浴槽７１４の蓋が開いているときで約７℃高くなる。つまり、冬の場合、浴槽７１４の開閉に関係なく、調光パネル２ａがない場合よりも、調光パネル２ａが設けられた場合のほうが、入浴者の体感温度が高くなっている。また、浴室７１の４面に調光パネル２ａが設けられた場合よりも、浴室７１の全６面に調光パネル２ａが設けられた場合のほうが、入浴者の体感温度が高くなっている。
【００５７】
一方、夏の場合、調光パネル２ａの反射率を１０％にすれば、調光パネル２ａの有無で体感温度はほとんど変わらない。なお、調光パネル２ａの反射率を１００％にすると、調光パネル２ａが設けられた場合の体感温度は、調光パネル２ａが設けられていない場合に比べて、若干高くなる。
【００５８】
以上説明した本実施形態の調光装置１では、調光部材２は、浴室７１の内面に沿って設けられる調光パネル２ａであり、光の波長帯での反射率および透過率が可逆的に変化する。これにより、本実施形態の調光装置１では、冬に調光パネル２ａの反射率を高くして透過率を低くすることによって、浴室７１内の温度を高くすることができるので、ヒートショックを抑制することができる。
【００５９】
また、本実施形態の調光装置１では、調光パネル２ａの反射率を高くすることによって、浴槽７１４の湯を保温することができる。
【００６０】
一方、夏に調光パネル２ａの反射率を低くして透過率を高くすることによって、本実施形態の調光装置１では、調光パネル２ａが設けられていない場合と同様に、浴室７１内から放熱することができるので、浴室７１内を快適な温度にすることができる。
【００６１】
（実施形態２）
実施形態２では、図８に示すように、調光部材２としての調光パネル２ａが浴室ドアに設けられている場合について説明する。なお、基本形態の調光装置１（図１参照）と同様の構成要素については、同一の符号を付して説明を省略する。
【００６２】
最近、浴室ドアにガラス戸が用いられることがあるが、さまざまな状況を考えるとプライバシーの問題が多い。
【００６３】
そこで、本実施形態では、浴室７１の出入口に設けられた浴室ドアを、調光機能を有するドアにし、調光状態を入浴者の好みに応じて切り替えることができる。すなわち、本実施形態の調光部材２は、浴室７１の出入口に設けられた浴室ドア２ｂである。
【００６４】
本実施形態の調光装置１は、調光部材２としての浴室ドア２ｂと、外付け操作パネル３ａと、浴室操作パネル３ｂとを備えている。外付け操作パネル３ａには、浴室ドア２ｂの開閉を検知する開閉センサ６１と、洗面所（脱衣所）への出入口のドアの開閉を検知するドアセンサ６２とが接続されている。
【００６５】
本実施形態の浴室ドア２ｂは、図９，１０に示すように、浴室７１の出入口に設けられている。浴室ドア２ｂは、調光パネル２ａが透光領域の全てに設けられている。図８に示す給電部４から浴室ドア２ｂ（調光パネル２ａ）への給電は、ドア枠を利用した有線による給電であってもよいし、非接触給電であってもよい。浴室ドア２ｂは、折りたたみタイプであってもよいし、引き戸タイプであってもよい。
【００６６】
調光パネル２ａが設けられた浴室ドア２ｂは、調光パネル２ａの透過率が９０％である場合、図９に示すように、調光パネル２ａにおいて浴室７１の光が透過する。一方、調光パネル２ａの透過率が１０％である場合、図１０に示すように、調光パネル２ａにおいて浴室７１の光が遮断される。
【００６７】
外付け操作パネル３ａは、図８に示すように、浴室７１外に設置されており、制御部３と、操作部３１とを備えている。制御部３は、浴室ドア２ｂの調光パネル２ａの反射率が変化するように、給電部４から調光パネル２ａへの電圧印加を制御する。また、外付け操作パネル３ａは、種々のモードを切り替える機能、カレンダ（夏季、冬季、中間期）を設定する機能、および、反射率を設定する機能を有している。さらに、外付け操作パネル３ａは、開閉センサ６１から浴室ドア２ｂの開閉についての検知結果を取得し、ドアセンサ６２から洗面所のドアの開閉についての検知結果を取得する。
【００６８】
浴室操作パネル３ｂは、浴室７１内に設置されており、外付け操作パネル３ａと同じ機能を有している。
【００６９】
次に、本実施形態に係る調光装置１の動作について図１１を用いて説明する。まず、外付け操作パネル３ａが調光選択の操作を受け付ける（図１１のＳ１１）。なお、浴室操作パネル３ｂが調光選択の操作を受け付けてもよい。ステップＳ１１で操作を受け付けると、制御部３の制御によって、調光パネル２ａの透過率が９０％に変化する（Ｓ１２）。その後、ユーザが浴室ドア２ｂを開けると、開閉センサ６１が浴室ドア２ｂの開閉を検知する（Ｓ１３）。その後、ユーザが入浴を開始する。入浴中に、入浴者以外の他者が洗面所のドアを開けると、ドアセンサ６２が洗面所のドアの開閉を検知する（Ｓ１４）。そうすると、調光パネル２ａの透過率は９０％から１０％になる（Ｓ１５）。その後、ユーザが浴室７１から退出するときに、浴室ドア２ｂが開閉されると（Ｓ１６）、調光パネル２ａの透過率は１０％から９０％に変化する（Ｓ１７）。
【００７０】
以上説明した本実施形態の調光装置１では、調光部材２は、可視光を透過させる第１の状態と可視光を遮断する第２の状態とを有する浴室ドア２ｂである。これにより、本実施形態の調光装置１では、入浴者の好みに合わせて使用することができたり、入浴者のプライバシーを確保したりすることができる。
【００７１】
また、本実施形態の調光装置１では、調光部材２は、光の波長帯での反射率が可逆的に変化する浴室ドア２ｂでもある。これにより、本実施形態の調光装置１では、冬に浴室ドア２ｂ（調光パネル２ａ）の反射率を高くすることによって、浴室７１内の温度を高くすることができるので、ヒートショックを抑制することができる。また、本実施形態の調光装置１では、浴室ドア２ｂ（調光パネル２ａ）の反射率を高くすることによって、浴槽７１４の湯の保温効果を高めることができる。なお、冬の場合の浴室ドア２ｂ（調光パネル２ａ）の透過率は例えば１０％である。
【００７２】
（実施形態３）
実施形態３では、図１２に示すように、調光部材２が窓ガラス７２１に設けられたり、調光部材２が屋根材２ｄおよび天窓ガラス２ｅであったりする場合について説明する。なお、基本形態の調光装置１（図１参照）と同様の構成要素については、同一の符号を付して説明を省略する。
【００７３】
従来の住戸（建物）においては、窓ガラスから直接日射が差し込むと、まぶしく、暑く、不快であることが多かった。特に、夏場の西日は強く、不快感が高まる。また、日射によって内装や家具の劣化を早めることになる。さらに、夏場は非空調時や屋根裏などに熱がこもり、熱負荷が増大するとともに、入室時に不快感が生じる。一方、日射を遮ると視界が悪くなり、閉鎖的で圧迫した空間になってしまう。
【００７４】
そこで、本実施形態では、図１３に示すように、住戸（建物）７２の窓ガラス７２１に着脱可能なエレクトロクロミックフィルム（ＥＣフィルム）２ｃが取り付けられる。
【００７５】
本実施形態の調光装置１は、調光部材２としてのＥＣフィルム２ｃと、コントローラ３ｃと、給電部４とを備えている。また、本実施形態の調光装置１は、人感センサ６３と、日射センサ６４と、温度センサ６５とをさらに備えている。
【００７６】
本実施形態の一の調光部材２は、図１３に示すように、住戸７２の窓に取り付けられる窓ガラス７２１に設けられるＥＣフィルム２ｃである。本実施形態では、窓ガラス７２１の外面にＥＣフィルム２ｃが設置されている。給電部４（図１２参照）からＥＣフィルム２ｃへの給電は非接触給電である。なお、ＥＣフィルム２ｃは、窓ガラス７２１に対して着脱可能に取り付けられている。これにより、例えば夏など必要な時期に応じて、ＥＣフィルム２ｃを窓ガラス７２１に取り付けたり取り外したりすることができる。また、住戸７２の全ての窓ガラスにＥＣフィルム２ｃを取り付けるのではなく、例えば西側や２階の窓など必要な場所の窓ガラスに対してＥＣフィルム２ｃを取り付ければよい。
【００７７】
また、窓ガラス７２１には、日射センサ６４と、温度センサ６５とが取り付けられている。日射センサ６４は、日射量を計測する。温度センサ６５は、窓ガラス７２１の室内側に設置されており、室温を計測する。日射センサ６４の計測結果および温度センサ６５の計測結果は、コントローラ３ｃに出力される。
【００７８】
コントローラ３ｃは、日射センサ６４および温度センサ６５の計測結果に応じて、ＥＣフィルム２ｃの透過率を制御する。また、コントローラ３ｃは、端末装置７９またはタッチパネル７２２からの信号によって、ＥＣフィルム２ｃの透過率を変化させることもできる。
【００７９】
また、本実施形態では、図１４に示すように、屋根材２ｄをＥＣガラスで構成する。すなわち、本実施形態の他の調光部材２は、ＥＣガラスからなる屋根材２ｄである。少なくとも寝室部分の屋根材だけでも、ＥＣガラスにするのが好ましい。
【００８０】
星空を眺めたい場合や日射を採り入れたい場合に屋根材２ｄの透過率を１００％とし、それ以外の場合では屋根材２ｄの透過率を１０％に下げるなど調節する。
【００８１】
さらに、本実施形態では、図１５に示すように、天窓ガラス２ｅをＥＣガラスで構成されている。すなわち、本実施形態のさらに他の調光部材２は、住戸７２の天窓に取り付けられる天窓ガラス２ｅである。
【００８２】
また、天窓ガラス２ｅの室外側には、日射センサ６４と、温度センサ６５とが取り付けられている。日射センサ６４は、日射量を計測する。温度センサ６５は、天窓ガラス２ｅの室内側に設置されており、室温を計測する。
【００８３】
コントローラ３ｃの制御部３は、人感センサ６３、日射センサ６４および温度センサ６５の計測結果を用いて、日中での人の存在・不存在や起床時刻に応じて、天窓ガラス２ｅの透過率を制御する。
【００８４】
また、天窓ガラス２ｅの下部の室外側には、小型の太陽電池５ａが設置されている。これにより、独立電源を確保することができる。
【００８５】
さらに、コントローラ３ｃは、日射センサ６４および温度センサ６５の計測結果により、天窓ガラス２ｅの透過率を設定した際に、照明・空調コストの削減量を表示することができる。
【００８６】
なお、起床時においては、コントローラ３ｃの制御部３は、時間が経過するにつれて透過率が高くなるように天窓ガラス２ｅを制御する。
【００８７】
次に、本実施形態に係る調光装置１の動作について図１６を用いて説明する。まず、人感センサ６３が人を検知した場合（図１６のＳ２１）、日射センサ６４の計測値が一定値未満である場合（Ｓ２２）、温度センサ６５の計測値が一定値未満である場合（Ｓ２３）、タイマの設定時刻になった場合（Ｓ２４）、制御部３の制御によって、調光部材２（ＥＣフィルム２ｃ、屋根材２ｄ、天窓ガラス２ｅ）の透過率が１００％になる（Ｓ２５）。その後、ユーザがタッチパネルによって機器を操作する（Ｓ２６）。そして、コントローラ３ｃのモード切替釦が押下されると（Ｓ２７）、調光部材２は、色濃淡を変更する（Ｓ２８）。その後、人感センサ６３が人を検知しなくなった場合（Ｓ２９）、日射センサ６４の計測値が一定値を超えた場合（Ｓ３０）、温度センサ６５の計測値が一定値を超えた場合（Ｓ３１）、制御部３の制御によって、調光パネルの透過率が１００％から０％に変化する（Ｓ３２）。
【００８８】
以上説明した本実施形態の調光装置１では、調光部材２は、窓ガラス７２１の外側に設けられ、日射光に対する透過率を可逆的に変化する。これにより、本実施形態の調光装置１では、調光部材２の透過率を高くするほど、日射熱に対する遮熱効果を高めることができる。室内にブラインドなどが設置される場合に比べて、日射遮熱効果が大きくなる。
【００８９】
また、本実施形態の調光装置１では、最上階（例えば２階建て住宅の場合の２階）での熱ごもりを抑制することができる。
【００９０】
さらに、本実施形態の調光装置１では、遮熱するとともに視界の透明度を調節することができ、調光部材２をレースのカーテンの代替とすることができる。また、日射の向きによって家具に日射が当たらないように制御することで家具の劣化を減らすことができる。
【００９１】
本実施形態の調光装置１では、調光部材２は、日射光に対する透過率が可逆的に変化する屋根材２ｄである。これにより、本実施形態の調光装置１では、住戸（建物）内での熱ごもりを抑制することができる。例えば、日中は、季節に応じて入熱量やまぶしさを調節することができる。
【００９２】
また、本実施形態の調光装置１では、調光部材２は、可視光を透過させる第１の状態と可視光を遮断する第２の状態とを有する屋根材２ｄでもある。これにより、本実施形態の調光装置１では、夜間に屋根材２ｄを第１の状態（透過状態）にすることによって、夜空を眺めることができる。すなわち、夜間は屋根材２ｄを全面透明にすることで開放感のある空間となるとともに、夜景を見ながら就寝することができる。
【００９３】
本実施形態の調光装置１では、調光部材２は、天窓ガラス２ｅであり、日射光に対する透過率が可逆的に変化する。これにより、本実施形態の調光装置１では、天窓ガラス２ｅの透過率を高くすることによって、ある程度視界を確保して開放感を保ちつつ、まぶしさや日射熱から解放させることができる。本実施形態の調光装置１では、シャッタを閉めるよりも、開放感があり、ロールカーテンよりも熱を遮断することができる。すなわち、不在時には、透過率を０％にしておくことで熱ごもりを解消する。存在時は、省エネ量を確認しながら好みに合わせて調節することができる。シャッタの代替になり、透過率が低い場合でもシャッタの完全閉鎖と比べて開放感を得ることができる。
【００９４】
また、本実施形態の調光装置１は、時間が経過するにつれて透過率が高くなるように天窓ガラス２ｅを制御する。これにより、本実施形態の調光装置１では、起床のタイミングで寝室を徐々に明るくすることができるので、目覚めをよくさせることができる。すなわち、まぶしくて起床時刻前に目が覚める問題に対し、希望の時刻に合わせて徐々に明るくなることでより自然な目覚めができる。
【００９５】
なお、調光部材２は、図１７，１８に示すように、ショーウインドウなどに小型のエレクトロクロミックガラス（小型ＥＣガラス）を組み合わせた表示パネル２ｆに用いられてもよい。
【００９６】
小型ＥＣガラスは、例えば３ｃｍ×３ｃｍの部材であり、小型ＥＣガラスを複数繋げて大きなパネルとする。
【００９７】
遮熱・遮光したい場合、表示パネル２ｆは、図１７に示すように、透効率の高い小型ＥＣガラス（図１７の白い部分）よりも透効率の低い小型ＥＣガラス（図１７の黒い部分）の数が多くなるような表示となる。一方、採熱・採光したい場合、表示パネル２ｆは、図１８に示すように、透過率の低い小型ＥＣガラス（図１８の黒い部分）よりも透過率の高い小型ＥＣガラス（図１８の白い部分）の数が多くなるような表示となる。
【００９８】
図１７，１８のような表示パネル２ｆの場合、日射の向き（時刻）によって表示パネル２ｆの制御パターンを変えることで、光や熱の進入を防止することができ、かつ、広告やイラストとして活用することができる。
【００９９】
また、例えば複数の小さなＥＣガラスで大きなモザイク調にすることによって、デザイン性を持たせることができ、色むらが気にならなくなる。
【０１００】
なお、調光部材２は、建物ではなく、車に設けられてもよい。例えばフロントウインドウやサイドウインドウ、バックウインドウに調光部材２としてのＥＣガラスが用いられる。
【０１０１】
この場合、不在時に調光部材２の透過率を下げておくことによって、乗車時の熱ごもりを抑制することができる。また、運転時に調光部材２の透過率を調整することによって、視界を遮ることなく、まぶしさを回避することができる。
【０１０２】
さらに、駐車時に調光部材２の透過率を下げておくことによって、車外から車内を見ることができないので、盗難を防止することができる。
【０１０３】
（実施形態４）
実施形態４では、調光部材が住戸（建物）内の壁に設けられている場合について説明する。なお、基本形態の調光装置１（図１参照）と同様の構成要素については、同一の符号を付して説明を省略する。
【０１０４】
従来から、壁に埋め込み式のテレビがあるが、内装と一体化しておらず、インテリア性に欠けていた。
【０１０５】
そこで、本実施形態では、図２０，２１に示すように、住戸内の壁７３１にはテレビ７３２と風呂操作パネル７３３とドアホン７３４とが埋め込まれており、調光部材２としての調光パネル壁２ｇで壁７３１の表面を覆う。すなわち、本実施形態の調光部材２は、住戸（建物）内の壁７３１に設けられる調光パネル壁２ｇである。テレビ７３２や風呂操作パネル７３３、ドアホン７３４を使用する際に、調光パネル壁２ｇの透過率を切り替える。
【０１０６】
本実施形態の調光装置１は、図１９に示すように、調光部材２としての調光パネル壁２ｇと、コントローラ３ｄと、人感センサ６３とを備えている。
【０１０７】
調光パネル壁２ｇは、周囲の壁７３１の色に合わせて色の変更が可能である。なお、壁７３１全体に調光パネル壁２ｇを設置すれば、モザイク柄（各調光パネル壁２ｇの調光）の模様替えも可能である。
【０１０８】
本実施形態では、通常時は、調光パネル壁２ｇの透過率を低くし、図２０に示すように周囲の壁７３１と同化し、テレビ７３２や風呂操作パネル７３３、ドアホン７３４が見えないようにする。一方、テレビ７３２や風呂操作パネル７３３、ドアホン７３４を使用したい場合、調光パネル壁２ｇの透過率を高くし、図２１に示すように、テレビ７３２や風呂操作パネル７３３、ドアホン７３４が見えるようにする。
【０１０９】
次に、本実施形態に係る調光装置１の動作について図２２を用いて説明する。まず、人感センサ６３が人を検知した場合（図２２のＳ４１）、壁７３１のタッチパネル７３６のオン釦が押下された場合（Ｓ４２）、テレビ７３２のリモコン７３５で電源オンされた場合（Ｓ４３）、制御部３の制御によって、調光パネル壁２ｇの透過率が１００％になる（Ｓ４４）。その後、ユーザがタッチパネル７３６によって機器を操作する（Ｓ４５）。そして、コントローラ３ｄのモード切替釦が押下されると（Ｓ４６）、調光パネル壁２ｇは、色濃淡を変更する（Ｓ４７）。モザイクパターンが変更される（Ｓ４８）。その後、人感センサ６３が人を検知しなくなった場合（Ｓ４９）、タッチパネル７３６のオフ釦が押下された場合（Ｓ５０）、テレビ７３２のリモコン７３５で電源オフされた場合（Ｓ５１）、制御部３の制御によって、調光パネル壁２ｇの透過率が１００％から０％に変化する（Ｓ５２）。
【０１１０】
以上説明した本実施形態の調光装置１では、調光部材２は、住戸（建物）内の壁７３１に設けられる調光パネル壁２ｇであり、可視光を透過させる第１の状態と可視光を遮断する第２の状態とを有する。これにより、本実施形態の調光装置１では、デザイン性やエンターテイメント感を高めることができる。
【０１１１】
なお、本実施形態の変形例として、図２３，２４に示すように、調光部材２は、冷蔵庫７４の扉２ｈであってもよい。
【０１１２】
従来の冷蔵庫では、冷蔵庫の中身は扉を開けないと確認することができなかった。一方、冷蔵庫の中身を確認するために扉を開けると、消費電力の無駄が生じていた。
【０１１３】
そこで、本変形例では、冷蔵庫７４の一部の扉２ｈをＥＣガラスに変更する。普段は、扉２ｈの透過率１０％で用いられている。冷蔵庫７４の中身を確認したいときだけ、扉２ｈの透過率１００％で使用する。
【０１１４】
すなわち、通常時は、扉２ｈの透過率を低くし、図２３に示すように、冷蔵庫７４の他の部分と同化し、冷蔵庫７４の中が見えないようにする。一方、冷蔵庫７４の中を見たい場合、扉２ｈの透過率を高くし、図２４に示すように、冷蔵庫７４の中が見えるようにする。
【０１１５】
本変形例の調光装置１では、調光部材２は、冷蔵庫７４の扉２ｈであり、可視光を透過させる第１の状態と可視光を遮断する第２の状態とを有する。これにより、本変形例の調光装置１では、扉２ｈの透過率を高くすることによって、扉２ｈを開けずに冷蔵庫７４の中を視認することができるので、扉２ｈを開ける場合に比べて、電力消費量を低減させることができる。
【０１１６】
また、本実施形態の他の変形例として、図２５，２６に示すように、調光部材２は、クローゼット７５の扉２ｉである。
【０１１７】
従来のクローゼットでは、朝起きた際に、寝ながらにしてクローゼットの中の服を見ることができなかった。
【０１１８】
そこで、本変形例では、目覚ましと連動して、朝起きると、クローゼット７５の中が見える。回転させるとベッドから洋服が見える。
【０１１９】
本変形例では、クローゼット７５の扉２ｉが調光ガラスである。通常時は、扉２ｉの透過率を低くし、図２５に示すように、クローゼット７５の中が見えないようにする。一方、クローゼット７５の中を見たい場合、扉２ｉの透過率を高くし、図２６に示すように、クローゼット７５の中が見えるようにする。
【０１２０】
本変形例の調光装置１では、調光部材２は、クローゼット７５の扉２ｉであり、可視光を透過させる第１の状態と可視光を遮断する第２の状態とを有する。これにより、本実施形態の調光装置１では、魅せるクローゼットと仕舞うクローゼットとを両立させることができる。例えば、朝の時間帯において時間節約と選ぶ楽しみとを両立させることができる。すなわち、朝目覚めた際に、寝ながらにしてクローゼット７５の中を見ることができ、服を楽しく選ぶことができる。特に、日本のワーキングウーマンに適している。
【０１２１】
（実施形態５）
実施形態５では、図２７に示すように、調光部材２が間仕切り部材２ｊに設けられている場合について説明する。なお、基本形態の調光装置１（図１参照）と同様の構成要素については、同一の符号を付して説明を省略する。
【０１２２】
オープンなスペースでは、周囲が気になって打ち合わせなどがしにくい場合がある。一方、使用していない場合、非常口が見え、室内空間の広がりがあるほうが快適感を生み、生産性が向上する。
【０１２３】
そこで、本実施形態では、オフィスなどの間仕切り部材に調光部材２を用いている。すなわち、本実施形態の調光部材２は、１つの空間７６を複数の小空間７６１〜７６５に分割するための間仕切り部材２ｊである。
【０１２４】
間仕切り部材２ｊは、オフィス管理マネジャーの要求に応じて設置されている。いずれの間仕切り部材２ｊを透明にするか否かは、オフィスワーカーの都合に合わせる。間仕切り部材２ｊは、制御部３（図１参照）の制御によって、音で透明になったり、時間で透明になったり、緊急時に透明になったりする。
【０１２５】
次に、本実施形態の一例について図２７を用いて説明する。図２７では、空間７６に格子状に複数の間仕切り部材２ｊが設けられている。会議をする際に周囲が気になる場合、小空間７６１のように周囲の間仕切り部材２ｊを、可視光を遮断する状態（第２の状態）にすればよい。一方、周囲が気にならない場合や会議が行われていない場合では、小空間７６２〜７６５のように周囲の間仕切り部材２ｊを、可視光を透過させる状態（第１の状態）にすればよい。なお、空間７６の外窓７６６は常に光が透過する。一方、窓のない壁７６７では常に光が遮断されている。
【０１２６】
以上説明した本実施形態の調光装置１では、調光部材２は、間仕切り部材２ｊであり、可視光を透過させる第１の状態と可視光を遮断する第２の状態とを有する。これにより、本実施形態の調光装置１では、セキュリティ、プライバシー、情報伝達効率化、移動時間削減、オフィスの生産性向上を両立させることができる。すなわち、本実施形態の調光装置１によれば、オフィスワーカーの都合とオフィス管理マネジャーの双方の要求に対して、最適化の設定が可能である。
【０１２７】
（実施形態６）
実施形態６では、調光部材が農業用ハウス（アグリハウス、ビニルハウス）に用いられている場合について説明する。なお、基本形態の調光装置１（図１参照）と同様の構成要素については、同一の符号を付して説明を省略する。
【０１２８】
農業用ハウスで農作物の栽培において、二毛作や促成栽培など時期をずらして栽培する際に、人工的に光や熱のエネルギーを投入する必要がある。そして、農業用ハウスは、日射を取り入れるために、半透明で断熱性が低く、その結果、暖かく保つための電気代がかかる。
【０１２９】
そこで、本実施形態では、図２９，３０に示すように、農業用ハウス７７の周囲を調光パネル２ｋで覆っている。すなわち、本実施形態の調光部材２は、農業用ハウス７７に用いられる調光パネル２ｋである。調光パネル２ｋは、例えばエレクトロクロミックガラス（ＥＣガラス）からなる。調光パネル２ｋの透過率は、日射のある時間帯では１００％とし、夜など日射のない時間帯では０％（反射率１００％）とし、農業用ハウス７７の中（農業用ハウス７７の内側）で照明を反射させる。
【０１３０】
本実施形態の調光装置１は、図２８に示すように、調光部材２としての調光パネル２ｋと、コントローラ３ｅと、日射センサ６４と、温度センサ６５と、照度センサ６６とを備えている。農業用ハウス７７には、ヒータ７７１と、ＬＥＤ７７２と、太陽電池５ｂとが設けられている。
【０１３１】
コントローラ３ｅは、最もエネルギー使用量が減るように調光パネル２ｋの濃淡制御、ヒータ７７１の制御、ＬＥＤ７７２の制御を行うために、種々のモードを切り替えるモード切替機能を有している。また、コントローラ３ｅは、タイマ設定を行うこともできる。さらに、コントローラ３ｅは、省エネ計算ソフトを用いて、エネルギー計算を行う。
【０１３２】
次に、本実施形態に係る調光装置１の動作について図３１を用いて説明する。まず、コントローラ３ｅは、日射センサ６４から日射量を取得し（図３１のＳ６１）、照度センサ６６から照度を取得し（Ｓ６２）、温度センサ６５から温度を取得する（Ｓ６３）。そして、コントローラ３ｅは、省エネ最適化計算をする。タイマ（図示せず）での設定時間になると（Ｓ６４）、コントローラ３ｅは、省エネ最適化計算の結果に基づいて、調光パネル２ｋの透過率をｘ％とし、ヒータ７７１の出力およびＬＥＤ７７２の照度を変更する（Ｓ６５）。そして、コントローラ３ｅのモード切替釦が押下されると（Ｓ６６）、調光パネル２ｋは色濃淡を変更し、ヒータ７７１は出力を変更し、ＬＥＤ７７２は照度を変更する（Ｓ６７）。
【０１３３】
以上説明した本実施形態の調光装置１では、調光部材２は、農業用ハウス７７に用いられ、日射光に対する透過率が可逆的に変化する。これにより、本実施形態の調光装置１では、日中と夜間とで調光部材２の透過率を変化させることによって、農業用ハウス７７内を一定照度かつ一定温度に保つための負荷を低減させることができる。
【０１３４】
すなわち、本実施形態の調光装置１によれば、日射時では、調光パネル２ｋの透過率を高くして、太陽光を利用することによって、照明エネルギーを減らすことができる。一方、非日射時では、調光パネル２ｋの内部側の反射率を高めることによって、輻射温を高めて熱エネルギーを減らすとともに、光合成する波長を内部で反射させて光エネルギーを減らすことができ、省電力となる。また、最も省エネとなるように、調光部材２、ヒータ７７１およびＬＥＤ７７２を制御することができる。
【０１３５】
さらに、本実施形態では、太陽電池５ｂで独立電源を確保することができるので、商用電源から配線してくる必要がない。
【０１３６】
（実施形態７）
実施形態７では、調光部材２が庇７８に用いられている場合について説明する。なお、基本形態の調光装置１（図１参照）と同様の構成要素については、同一の符号を付して説明を省略する。
【０１３７】
従来、日本家屋での熱マネジメントにおいて庇が有効であった。庇は、本来、日射や雨、雪、冬季夜間の放射冷却から室内外を守る。ところが、現在、庇が緯度や住まい手にあった機能を果たしていないことが多い。
【０１３８】
そこで、本実施形態では、図３２に示すように、調光部材２としての複数の調光パネル２ｍを庇７８に用いている。すなわち、本実施形態の調光部材２は、庇７８に用いられる複数の調光パネル２ｍである。各調光パネル２ｍは、例えばＥＣガラスからなり、帯状に形成されている。
【０１３９】
複数の調光パネル２ｍは、図３２に示すように、家屋（建物）の壁側から庇７８の先端側の方向に並んで設けられている。
【０１４０】
本実施形態のコントローラ３ｆの制御部は、家屋の壁側から庇７８の先端側に向けて透過率が徐々に高くなるように複数の調光パネル２ｍを制御する。
【０１４１】
本実施形態では、図３３に示すように、二十四節気ごとに最適かつ快適な日射とする。例えば夏の場合、昼は、制御部の制御によって複数の調光パネル２ｍの全ての透過率が低くなり、庇７８は全黒である。夜から深夜は、複数の調光パネル２ｍの全ての透過率が高くなり、庇７８は全透明である。夜明け前に庇７８は全黒になる。一方、冬の場合、複数の調光パネル２ｍの全ての透過率が高くなり、庇７８は全透明である。春または秋の場合、複数の調光パネル２ｍの透過率が家屋の壁側から庇７８の先端側に向けて徐々に高くなり、庇７８は中間状態、すなわち、家屋の壁側から庇７８の先端側に向けて黒〜灰〜白とグラデーションになる。
【０１４２】
太陽高度、日没、夜明けの時刻は、ＧＰＳ（Global Positioning System）によって初期設定される。なお、夜モードでは、月の黄道に合わせた透明帯の設定も可能である。
【０１４３】
図３２に示すコントローラ３ｆは、四面、２階建ての庇７８の帯１２面、合計最大約１００面の調光パネル２ｍの制御内容を年次、日時または随時、管理し、記憶する。なお、図３４に示すように、手動のスイッチ６７やセンタ６８でも変更可能である。ただし、毎晩自動復帰する。
【０１４４】
以上説明した本実施形態の調光装置１では、調光部材２は、庇７８に用いられ、日射光に対する透過率が可逆的に変化する。これにより、本実施形態の調光装置１では、昼の強い日射を避けることができる。なお、日射の強い地方では、２枚庇を生成し、上部はＥＣガラス、下部は通常ガラスとする。
【０１４５】
また、本実施形態の調光装置１では、調光部材２は、庇７８に用いられ、可視光を透過させる第１の状態と可視光を遮断する第２の状態とを有する。これにより、本実施形態の調光装置１では、いつでも星空を観賞することができたり、月光が差し込む部屋にしたりすることができる。また、本実施形態の調光装置１では、雨、曇りでも空が広く感じることができる。昼の照明器具の点灯を回避することができる。
【０１４６】
（実施形態８）
実施形態８では、調光部材２がショーケース（図示せず）に用いられている場合について説明する。なお、基本形態の調光装置１（図１参照）と同様の構成要素については、同一の符号を付して説明を省略する。
【０１４７】
人間が機器を利用するときに壁スイッチは不便である。一方、照明、テレビ、エアコンにはリモコンがある。
【０１４８】
そこで、本実施形態では、１００ｍ離れていても、調光部材２としての複数の調光パネル２ｎを端末装置７９で１枚ずつ制御し、例えば１００枚など複数の調光パネル２ｎをパターンごとに、端末装置（リモコン）７９によって自由自在かつ簡単に透明化または黒化することができる。
【０１４９】
本実施形態の調光装置１は、図３５に示すように、複数の調光パネル２ｎと、コントローラ３ｇと、複数の給電モジュール４ａとを備えている。
【０１５０】
本実施形態の調光部材２は、ショーケースに用いられる複数の調光パネル２ｎである。複数の調光パネル２ｎは、ショーケース内の空間を商品ごとに分割した複数の小空間に一対一に対応する。そして、複数の調光パネル２ｎの各々は、対応する小空間に設けられている。
【０１５１】
複数の給電モジュール４ａは、複数の調光パネル２ｎと一対一で対応して設けられている。複数の給電モジュール４ａの各々は、コントローラ３ｇの制御によって、対応する調光パネル２ｎに電圧を印加する。
【０１５２】
コントローラ３ｇの制御部３は、複数の調光パネル２ｎの各々に対して個別に第１の状態と第２の状態とを切り替える。本実施形態では、コントローラ３ｇの制御部３は、端末装置７９から複数の調光パネル２ｎの制御内容を受け付け、当該制御内容に従って複数の調光パネル２ｎを制御する。コントローラ３ｇは、複数の調光パネル２ｎを周波数で制御する端末装置７９から制御内容を取得する。コントローラ３ｇには、１００枚の調光パネル２ｎのうちどこでも透明化できるソフトウェアが内蔵されている。コントローラ３ｇは、透明時に系列制御も可能である。
【０１５３】
以上説明した本実施形態の調光装置１では、例えば店舗プロデューサー、心理学者、アーティストなどのプロの演出者によって、壁やガラスであった所に演出効果で人間心理をナビゲートすることができる。また、店舗でのドレスや宝石選びにドラマチックな透明化を実現することができる。
【０１５４】
また、本実施形態の調光装置１は、端末装置７９から調光部材２の制御内容を受け付けることができるので、便利である。
【０１５５】
なお、本実施形態の調光部材２は、ショールームの窓ガラスに用いられる複数の調光パネルであってもよい。この場合、複数の調光パネルは、ショールーム内の空間を分割した複数の小空間に一対一に対応し、複数の調光パネルの各々は、対応する小空間に設けられる。制御部は、複数の調光パネルの各々に対して個別に第１の状態と第２の状態とを切り替える。
【０１５６】
また、調光部材２は、ビルなどの建物で各階を上下方向に繋ぐ配管設備が収納されているパイプスペースを覆う部材に用いられてもよい。本実施形態のパイプスペースは、例えば電気設備の電線などが収納されているＥＰＳ（Electric Pipe Shaft）である。調光部材２は、可視光を透過させる第１の状態と可視光を遮断する第２の状態とを有する。これにより、調光部材２を第２の状態（遮断状態）にすることによって、点検以外の美観を担保することができる。一方、点検時に調光部材２を第１の状態（透過状態）にすることによって、専用カメラで遠隔目視してセンタで集中監視を行うことができるので、点検コストを大幅に削減することができる。
【０１５７】
なお、実施形態１〜７においても、制御部３は、端末装置から調光部材２の制御内容を受け付け、当該制御内容に従って調光部材２を制御してもよい。端末装置７９から調光部材２の制御内容を受け付けることができるので、便利である。
【０１５８】
また、制御部３は、調光部材２の制御内容を音によって受け付けてもよい。本変形例の場合、調光部材２の制御内容を音によって受け付けることができるので、便利である。
【０１５９】
なお、上述の実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることは勿論である。
【符号の説明】
【０１６０】
１  調光装置
２  調光部材
２ａ  調光パネル
２ｂ  浴室ドア
２ｃ  ＥＣフィルム
２ｄ  屋根材
２ｅ  天窓ガラス
２ｆ  表示パネル
２ｇ  調光パネル壁
２ｈ  扉
２ｉ  扉
２ｊ  間仕切り部材
２ｋ  調光パネル
２ｍ  調光パネル
２ｎ  調光パネル
３  制御部
【図１】
2014202858.tif 000003
【図２】
2014202858.tif 000004
【図３】
2014202858.tif 000005
【図４】
2014202858.tif 000006
【図５】
2014202858.tif 000007
【図６】
2014202858.tif 000008
【図７】
2014202858.tif 000009
【図８】
2014202858.tif 000010
【図９】
2014202858.tif 000011
【図１０】
2014202858.tif 000012
【図１１】
2014202858.tif 000013
【図１２】
2014202858.tif 000014
【図１３】
2014202858.tif 000015
【図１４】
2014202858.tif 000016
【図１５】
2014202858.tif 000017
【図１６】
2014202858.tif 000018
【図１７】
2014202858.tif 000019
【図１８】
2014202858.tif 000020
【図１９】
2014202858.tif 000021
【図２０】
2014202858.tif 000022
【図２１】
2014202858.tif 000023
【図２２】
2014202858.tif 000024
【図２３】
2014202858.tif 000025
【図２４】
2014202858.tif 000026
【図２５】
2014202858.tif 000027
【図２６】
2014202858.tif 000028
【図２７】
2014202858.tif 000029
【図２８】
2014202858.tif 000030
【図２９】
2014202858.tif 000031
【図３０】
2014202858.tif 000032
【図３１】
2014202858.tif 000033
【図３２】
2014202858.tif 000034
【図３３】
2014202858.tif 000035
【図３４】
2014202858.tif 000036
【図３５】
2014202858.tif 000037